(57)【要約】      （修正有）【課題】高圧スチーム洗浄を可能とすることにより優れた洗浄効果が得られ、また、優れた乾燥性が得られる畳を提供する。【解決手段】合成樹脂製の畳表２と畳床３との間に、透湿防水性のある不織布シート４を設け、一体に固定することにより、洗浄水の畳床３への浸透を有効に防止でき、また、洗浄により畳床３が湿気を帯びても、湿気は不織布シート４を通して発散し、洗浄後の、特に畳床３の乾燥時間の短縮を図ることができ、洗浄後の畳床３の湿気によるカビや臭い発生を防止することができるようにした。【選択図】図１
0003185694.tif 000002
【実用新案登録請求の範囲】
【請求項１】
合成樹脂製の畳表と畳床との間に、透湿防水性のある不織布シートを設け、一体に固定したことを特徴とする畳。
【請求項２】
前記不織布シートは、高密度ポリエチレン不織布シートであることを特徴とする請求項１に記載の畳。
【考案の詳細な説明】
【技術分野】
【０００１】
本考案は、洗浄性と乾燥性に優れた畳に関する。
【背景技術】
【０００２】
畳は、その上に直に座り、また寝転んだりするので、常に清潔に保つことが衛生上好ましいが、従来の畳は、一般に透水性や吸水性が高く、そのため、食べ物や飲み物をこぼした場合など、その清掃が困難であった。
【０００３】
このような問題を解決するため、水洗いできる畳として、プラスティック段ボールからなる中空状合成樹脂プレートを挟んで２枚の発泡ポリスチレン製芯材を設け、表面側の発泡ポリスチレン製芯材の上面に他のプラスティック段ボールからなる中空状合成樹脂プレート、合成樹脂発泡シートを挟んで合成樹脂製畳表を積層するとともに、裏面の発泡ポリスチレン製芯材の下面に合成樹脂発泡シートを設けて合成樹脂製畳表を発泡ポリスチレン製芯材の側面で縫い合わせた水洗い可能な畳がある（特許文献１参照。）。
しかし、特許文献１に記載されている水洗い可能な畳では、中空状合成樹脂プレート、発泡ポリスチレン製芯材、合成樹脂製畳表、合成樹脂発泡シート等の間に洗浄水の水が残留し、排水性が十分でなく乾燥に時間を要した。
【０００４】
そこで、畳床の上面と側面の一部を被覆するビニールシートからなる防水シートを設け、この防水シート上面に畳表をそれらの間に通水間隙を形成するように縫着し、畳表と畳床との縫着部分の排水口及び畳表と畳床との開放部分の下部排水口を設けて、水が畳床に浸透し難くするとともに、排水性を良好にすることにより洗浄後の乾燥時間を短くした水洗い可能な畳が提案されている（特許文献２参照。）。
【先行技術文献】
【特許文献】
【０００５】
【特許文献１】特許第３８７３２３９号公報
【特許文献２】特開２００８−５０９２４号公報
【考案の概要】
【考案が解決しようとする課題】
【０００６】
しかしながら、特許文献２に記載された水洗い可能な畳によれば、ビニールシートからなる防水シートにより畳床への上面からの浸透は防止できるが、通水間隙を通る水が畳床に伝わり、畳床に湿気を帯びることまで防ぐことはできない。そして、畳床に帯びた湿気にあっては、畳床の上面に設けられた防水シートであるビニールシートは透湿性が無いため、防水シートを通しての蒸発はできず、畳床に帯びた湿気は畳表と畳床との縫着部分の排水口のみからの蒸発となるため、洗浄後湿気を帯びた状態が長く続くことになり、カビや臭いが発生するおそれがあるといった問題がある。
【０００７】
また、畳の洗浄にあって、高圧スチーム洗浄を行った場合、防水シートであるフィルム系のビニールシートは水圧がかかると縫着している針穴が大きくなってしまい、防水性が劣化してしまうといった問題があり、高圧スチーム洗浄は適さない。
本考案者は、かかる問題を解決すべく試験研究の結果、防水性と透湿性に優れた高密度ポリエチレン不織布シートに着目し、本考案を完成するに至った。
【０００８】
本考案の目的は、高圧スチーム洗浄を可能とすることにより優れた洗浄効果が得られ、また、優れた乾燥性が得られる畳を提供することにある。
【課題を解決するための手段】
【０００９】
上記の目的を達成するために請求項１に記載の考案は、合成樹脂製の畳表と畳床との間に、透湿防水性のある不織布シートを設け、一体に固定したことを特徴とする。
【００１０】
請求項２に記載の考案は、請求項１に記載の、前記不織布シートは、高密度ポリエチレン不織布シートであることを特徴とする。
【考案の効果】
【００１１】
請求項１に記載の畳によれば、合成樹脂製の畳表と畳床との間に、透湿防水性のある不織布シートを設けたので、洗浄水の畳床への浸透を有効に防止でき、また、洗浄により畳床が湿気を帯びても、湿気は不織布シートを通して発散し、洗浄後の、特に畳床の乾燥時間の短縮を図ることができ、洗浄後の畳床の湿気によるカビや臭い発生を防止することができる。
【００１２】
請求項２に記載の畳によれば、請求項１に記載の、前記不織布シートは、高密度ポリエチレン不織布シートであるので、透湿性と防水性に優れ、防水性にあっては負荷に対して強い強度を備えているので、高圧スチーム洗浄しても前記不織布シートの防水性を損なわず、洗浄水の畳床への浸透を有効に防止でき、また、前記不織布シートは透湿性に優れているので、洗浄により畳床が湿気を帯びても、湿気は不織布シートを通して短時間で発散し、洗浄後の、特に畳床の乾燥時間の一層の短縮を図ることができ、洗浄後の畳床の湿気によるカビや臭い発生を一層効果的に防止することができる。
また、前記のように高圧スチーム洗浄が可能なので、高い洗浄効果を得ることができる。
【図面の簡単な説明】
【００１３】
【図１】本考案に係る畳の実施の形態の一例を示す縦断面説明図である。
【考案を実施するための形態】
【００１４】
以下、この考案に係る畳を実施するための形態を、図面を参照して詳細に説明する。
図１は本考案に係る畳の実施の形態の一例を示す縦断面説明図である。
本例の畳１は、合成樹脂製の畳表２と畳床３との間に、透湿防水性のある不織布シート４を設け、縫着により一体に固定した構成となっている。
【００１５】
合成樹脂製の畳表２は、ポリプロピレン樹脂繊維を編み込んでシート状に形成したものであるが、これに限定されない。本例では、ポリプロピレン樹脂製の畳表２として、東レペフ加工品株式会社製の商品名「敷楽」が使用されている。
【００１６】
畳床３は、木質繊維板であるインシュレーションボード（通称タタミボード）と押出発泡ポリスチレンフォームの組み合わせによる芯材５と、クラフト紙にポリプロピレン樹脂製クロスを貼り付けた裏面材６により構成されているが、これに限定されない。
【００１７】
また、畳表２と畳床３との間に設けられる透湿防水性のある不織布シート４は、本例では、高密度ポリエチレン不織布シートが使用されている。高密度ポリエチレン不織布シートとしては、０．５〜１０μのポリエチレンの極細長繊維をランダムに積層し、熱と圧力で結合させたものが好ましい。
本例では、透湿防水性のある不織布シート４としてデュポン社製の商品名「タイベック」（登録商標）が使用されているが、これに限定されない。
【００１８】
以上のように構成された畳１によれば、合成樹脂製の畳表２と畳床３との間に、透湿防水性のある不織布シート４を設けたので、洗浄水の畳床３への浸透を有効に防止できる。また、洗浄により畳床３が湿気を帯びても、湿気は不織布シート４を通して発散し、洗浄後の、特に畳床３は短時間で乾燥する。
【００１９】
本例では、不織布シート４として、高密度ポリエチレン不織布シートが使用されているので、透湿性と防水性に優れ、防水性にあっては負荷に対して強い強度を備えており、高圧スチーム洗浄しても防水性を損なわず、洗浄水の畳床３への浸透を有効に防止できる。また、透湿性に優れているので、洗浄により畳床３が湿気を帯びても、湿気は不織布シート４を通して短時間で発散し、洗浄後の、特に畳床３は一層短時間で乾燥する。また、防水性にあっては負荷に対して強い強度を備えているので、高圧スチーム洗浄が可能なので、高い洗浄効果を得ることができ、高圧スチーム洗浄により、従来の雑巾での拭き取りでは落とせなかったひどい汚れも容易に落とすことができる。
【符号の説明】
【００２０】
１  畳
２  畳表
３  畳床
４  不織布シート
５  芯材
６  裏面材
【図１】
0003185694.tif 000003